(57)【要約】【課題】ペットが排泄した糞便を収集し、糞便が地面に落下することを防ぐとともに、糞便から生じる嫌な臭いが空気中に漂うことも防ぐペット用糞便収集装置を提供する。【解決手段】ペット用糞便収集装置は、ペットが排泄した糞便を収集するとともに、袋体取付け部材２０、押引部材３０及び把持部材４０を備える。袋体取付け部材２０は、袋体を設置するために用いるとともに、枢着部２１及び２つの第１のガイド部２２を有し、枢着部２１及び２つの第１のガイド部２２により袋体の開口部が閉じた閉状態となるか袋体の開口部が開かれた開状態となる。押引部材３０は、枢着部２１を介して袋体取付け部材２０に枢着されるとともに、袋体取付け部材２０を駆動し、袋体取付け部が閉状態に形成されるときに、袋体取付け部を固定する係合部材３３がその上に配設される。把持部材４０は、押引部材３０を収容する収容空間４２と、２つの第２のガイド部４４とを有する。【選択図】図３
2019076051.tif 000002
【特許請求の範囲】
【請求項１】
ペットが排泄した糞便を収集するペット用糞便収集装置であって、
袋体取付け部材、押引部材及び把持部材を備え、
前記袋体取付け部材は、袋体を設置するために用いるとともに、枢着部及び２つの第１のガイド部を有し、前記枢着部及び前記２つの第１のガイド部により前記袋体の開口部が閉じた閉状態となるか前記袋体の開口部が開かれた開状態となり、
前記押引部材は、前記枢着部を介して前記袋体取付け部材に枢着されるとともに、前記袋体取付け部材を駆動し、前記袋体取付け部が閉状態に形成されるときに、前記袋体取付け部を固定する係合部材がその上に配設され、
前記把持部材は、前記押引部材を収容する収容空間と、前記２つの第１のガイド部に対応して嵌設する２つの第２のガイド部と、を有し、
前記押引部材は、前記収容空間内で前記２つの第１のガイド部及び前記２つの第２のガイド部により、前記袋体取付け部を閉状態にする閉位置と、前記袋体取付け部を開状態にする開位置と、を有することを特徴とする、
ペット用糞便収集装置。
【請求項２】
前記袋体取付け部材は、４本の杆体が互いに枢着されて構成され、第１の杆体、第２の杆体、第３の杆体及び第４の杆体を含み、前記枢着部は、前記第１の杆体と前記第２の杆体との間に設けられ、閉状態下で、前記第１の杆体及び前記第２の杆体は直線状を呈し、前記第３の杆体及び前記第４の杆体は、同様に直線状を呈するとともに、前記第１の杆体及び前記第２の杆体に隣接し、開状態下で、前記第１の杆体、前記第２の杆体、前記第３の杆体及び前記第４の杆体は菱形状に設置され、前記第１の杆体、前記第２の杆体、前記第３の杆体、前記第４の杆体により前記袋体を取付ける取付け空間が画成されることを特徴とする、請求項１に記載のペット用糞便収集装置。
【請求項３】
各前記第１のガイド部は、前記第１の杆体及び前記第２の杆体上にそれぞれ設けられ、各前記第１のガイド部は、前記第１の杆体及び前記第２の杆体から外方へ突出された柱体であることを特徴とする、請求項２に記載のペット用糞便収集装置。
【請求項４】
前記第１の杆体、前記第２の杆体、前記第３の杆体及び前記第４の杆体の外側には、前記袋体を接着させる接着部がそれぞれ設けられ、前記袋体の袋口を折り返して前記接着部上に接着させ、前記袋体を固定することを特徴とする、請求項２に記載のペット用糞便収集装置。
【請求項５】
前記押引部材は、枢着部材、ストッパ、係合部材及びガイド杆を有し、前記枢着部材は、前記ストッパの一側から突出され、第１の枢着杆を介して枢着部に枢着され、前記ストッパは、前記枢着部材と前記ガイド杆との間に設置され、前記係合部材は、第２の枢着杆を介して前記ストッパの外部に枢着され、前記係合部材は、一端に設けた押圧部と、他端に設けた係合部と、を有し、前記ガイド杆は、前記枢着部材とは反対方向へ延びるように前記ストッパの他側に延設されるとともに、中空状であり、弾性変形可能な位置決め部材を上部に有し、前記位置決め部材の末端には、前記位置決め部材上に突設された固定ブロックと、前記位置決め部材上に突設されるとともに、前記固定ブロックと離間して隣り合う押圧ブロックと、が設けられることを特徴とする、請求項１に記載のペット用糞便収集装置。
【請求項６】
前記把持部材は、前記収容空間の外部に延びたプラットフォームを有し、  前記２つの第２のガイド部は、前記プラットフォーム上に設けられていることを特徴とする、請求項１に記載のペット用糞便収集装置。
【請求項７】
各前記第２のガイド部は溝部であり、各前記第１のガイド部は、各前記第２のガイド部内まで延びた柱体であり、各前記第２のガイド部と前記把持部材の延伸方向との間に夾角が形成され、前記夾角は、９０度より小さいか９０度より大きいことを特徴とする、請求項６に記載のペット用糞便収集装置。
【発明の詳細な説明】
【技術分野】
【０００１】
本発明は、ペット用糞便収集装置に関し、特に、ペットが排泄した糞便を収集し、糞便が地面に落下することを防ぐとともに、糞便から生じる悪臭が空気中に漂うことを防ぐペット用糞便収集装置に関する。
【背景技術】
【０００２】
昔からペットを飼うことは広く一般に普及しているが、ペットを飼う場合、ペットの排出物を常時処理して飼育環境を清潔に維持する必要があった。
【０００３】
飼育するペットの中でも犬類は大きな比率を占め、犬類のペットを飼育する場合、頻繁に屋外へ連れ出して運動させる必要があった。
しかし犬類のペットを屋外へ連れ出して運動させると、当然の如く、糞尿を排泄することとなった。特に、排泄物を排泄するとき、環境を清潔に保つために、飼主自ら手作業で排泄物を処理することが求められており、特に、排泄された糞便を手作業できれいに処理しない場合、環境が汚染され、歩行者が誤って糞便を踏んでしまう虞もあった。
【０００４】
そのため、多くの飼育者は、ペットを屋外へ連れ出す際に袋体を携帯し、ペットが糞便を排泄した後、その袋体を裏返して手に被せ、糞便を拾って袋体から落下しないように、袋体の開口部を閉止することが一般的であった。
【０００５】
しかしながら、飼主の手が袋体で隔離されているとはいえ、手が間接的に糞便に触れるため、もし袋体に穴がある場合、手が直接糞便に触れて衛生的でなかった。また、糞便を拾った後、手で袋体の開口部を閉止するが、ペットが２回目の排泄をする際、袋体を再び開いて拾った糞便を入れた後、開口部を再び閉止しなければならなかった。袋体を開く際に袋体内の糞便が袋体から地面に落下することがあり、飼主にとって使用し難かった。
【発明の概要】
【発明が解決しようとする課題】
【０００６】
本発明の主な目的は、ペットが排泄した糞便を収集し、糞便が地面に落下することを防ぐとともに、糞便から生じる嫌な臭いが空気中に漂うことも防ぐペット用糞便収集装置を提供することにある。
【課題を解決するための手段】
【０００７】
上記課題を解決するために、本発明の第１の形態によれば、ペットが排泄した糞便を収集するとともに、袋体取付け部材、押引部材及び把持部材を備えたペット用糞便収集装置であって、前記袋体取付け部材は、袋体を設置するために用いるとともに、枢着部及び２つの第１のガイド部を有し、前記枢着部及び前記２つの第１のガイド部により前記袋体の開口部が閉じた閉状態となるか前記袋体の開口部が開かれた開状態となり、前記押引部材は、前記枢着部を介して前記袋体取付け部材に枢着されるとともに、前記袋体取付け部材を駆動し、前記袋体取付け部が閉状態に形成されるときに、前記袋体取付け部を固定する係合部材がその上に配設され、前記把持部材は、前記押引部材を収容する収容空間と、前記２つの第１のガイド部に対応して嵌設する２つの第２のガイド部と、を有し、前記押引部材は、前記収容空間内で前記２つの第１のガイド部及び前記２つの第２のガイド部により、前記袋体取付け部を閉状態にする閉位置と、前記袋体取付け部を開状態にする開位置と、を有することを特徴とする、ペット用糞便収集装置が提供される。
【０００８】
前記袋体取付け部材は、４本の杆体が互いに枢着されて構成され、第１の杆体、第２の杆体、第３の杆体及び第４の杆体を含み、前記枢着部は、前記第１の杆体と前記第２の杆体との間に設けられ、閉状態下で、前記第１の杆体及び前記第２の杆体は直線状を呈し、前記第３の杆体及び前記第４の杆体は、同様に直線状を呈するとともに、前記第１の杆体及び前記第２の杆体に隣接し、開状態下で、前記第１の杆体、前記第２の杆体、前記第３の杆体及び前記第４の杆体は菱形状に設置され、前記第１の杆体、前記第２の杆体、前記第３の杆体、前記第４の杆体により前記袋体を取付ける取付け空間が画成されることが好ましい。
【０００９】
各前記第１のガイド部は、前記第１の杆体及び前記第２の杆体上にそれぞれ設けられ、各前記第１のガイド部は、前記第１の杆体及び前記第２の杆体から外方へ突出された柱体であることが好ましい。
【００１０】
前記第１の杆体、前記第２の杆体、前記第３の杆体及び前記第４の杆体の外側には、前記袋体を接着させる接着部がそれぞれ設けられ、前記袋体の袋口を折り返して前記接着部上に接着させ、前記袋体を固定することが好ましい。
【００１１】
前記押引部材は、枢着部材、ストッパ、係合部材及びガイド杆を有し、前記枢着部材は、前記ストッパの一側から突出され、第１の枢着杆を介して枢着部に枢着され、前記ストッパは、前記枢着部材と前記ガイド杆との間に設置され、前記係合部材は、第２の枢着杆を介して前記ストッパの外部に枢着され、前記係合部材は、一端に設けた押圧部と、他端に設けた係合部と、を有し、前記ガイド杆は、前記枢着部材とは反対方向へ延びるように前記ストッパの他側に延設されるとともに、中空状であり、弾性変形可能な位置決め部材を上部に有し、前記位置決め部材の末端には、前記位置決め部材上に突設された固定ブロックと、前記位置決め部材上に突設されるとともに、前記固定ブロックと離間して隣り合う押圧ブロックと、が設けられることが好ましい。
【００１２】
前記把持部材は、前記収容空間の外部に延びたプラットフォームを有し、前記２つの第２のガイド部は、前記プラットフォーム上に設けられていることが好ましい。
【００１３】
各前記第２のガイド部は溝部であり、各前記第１のガイド部は、各前記第２のガイド部内まで延びた柱体であり、各前記第２のガイド部と前記把持部材の延伸方向との間に夾角が形成され、前記夾角は、９０度より小さいか９０度より大きいことが好ましい。
【図面の簡単な説明】
【００１４】
【図１】本発明の一実施形態に係るペット用糞便収集装置が閉じた状態を示す斜視図である。
【図２】本発明の一実施形態に係るペット用糞便収集装置が開いた状態を示す斜視図である。
【図３】本発明の一実施形態に係るペット用糞便収集装置を示す分解斜視図である。
【図４】本発明の一実施形態に係るペット用糞便収集装置の把持部材を示す上面図である。
【図５】本発明の一実施形態に係るペット用糞便収集装置が閉じた状態を示す断面図である。
【図６】本発明の一実施形態に係るペット用糞便収集装置の操作状態を示す断面図である。
【図７】本発明の一実施形態に係るペット用糞便収集装置が開いた状態を示す断面図である。
【図８】本発明の一実施形態に係るペット用糞便収集装置の使用状態の説明図である。
【発明を実施するための形態】
【００１５】
本発明の他の技術内容、特徴及び効果については、以下、図面を参照しながら好適な実施例の詳細な説明で明らかにされる。
【００１６】
図１〜図３を参照する。図１〜図３に示すように、本発明の一実施形態に係るペット用糞便収集装置には、袋体５０が設置され、飼主は袋体５０を利用してペットが排泄した糞便を収集することができるとともに、糞便が袋体５０から地面に落下することを防ぐこともできる（図８を参照する）。ペット用糞便収集装置１０は、少なくとも袋体取付け部材２０、押引部材３０及び把持部材４０から構成されてなる。
【００１７】
袋体取付け部材２０は、複数本の杆体が互いに枢着されて構成され、その上には枢着部２１及び２つの第１のガイド部２２が配設される。枢着部２１は、互いに隣り合う２つの杆体間に設けられる。各第１のガイド部２２は、枢着部２１の互いに隣り合う２つの杆体上にそれぞれ設けられる。本実施形態において、袋体取付け部材２０は、４本の杆体が互いに枢着されて構成されるとともに、第１の杆体２３、第２の杆体２４、第３の杆体２５及び第４の杆体２６を含む。
枢着部２１は、第１の杆体２３と第２の杆体２４との間に設けられる。各第１のガイド部２２は、第１の杆体２３及び第２の杆体２４上にそれぞれ設けられる。各第１のガイド部２２は、第１の杆体２３及び第２の杆体２４から外方へ突出された柱体である。また、袋体取付け部材２０は、袋体の開口部が閉じた閉状態となるか袋体の開口部が開かれた開状態となる。閉状態下で、第１の杆体２３及び第２の杆体２４は直線状を呈する。第３の杆体２５及び第４の杆体２６は、同様に直線状を呈するとともに、第１の杆体２３及び第２の杆体２４に隣接する。開状態下で、第１の杆体２３、第２の杆体２４、第３の杆体２５及び第４の杆体２６は菱形状に設置され、第１の杆体２３、第２の杆体２４、第３の杆体２５、第４の杆体２６により、袋体を取付ける取付け空間が画成される。
また、本実施形態では、袋体取付け部材２０が開状態下で袋体５０が脱落しないように（図８を併せて参照する）、第１の杆体２３、第２の杆体２４、第３の杆体２５及び第４の杆体２６の外側には、袋体５０を接着させる接着部２７がそれぞれ設けられ、袋体５０の袋口を折り返して接着部２７上に接着させ、袋体を固定する。
【００１８】
押引部材３０は、枢着部２１を介して袋体取付け部材２０に枢着されるとともに、枢着部材３１、ストッパ３２、係合部材３３及びガイド杆３４を含む。枢着部材３１は、ストッパ３２の一側から突出され、第１の枢着杆３５を介して枢着部２１に枢着される。ストッパ３２は、枢着部材３１とガイド杆３４との間に設置される。係合部材３３は、第２の枢着杆３６を介してストッパ３２の外部に枢着される。
係合部材３３は、一端に設けた押圧部３３１と、他端に設けた係合部３３２と、を有する。ガイド杆３４は、枢着部材３１とは反対方向へ延びるようにストッパ３２の他側に延設されるとともに、中空状であり、弾性変形可能な位置決め部材３４１を上部に有する。位置決め部材３４１の末端には、位置決め部材３４１上に突設された固定ブロック３４２と、位置決め部材３４１上に突設されるとともに、固定ブロック３４２と離間して隣り合う押圧ブロック３４３と、が設けられている。
【００１９】
図４を併せて参照する。図４に示すように、把持部材４０は、把持部４１、収容空間４２及びプラットフォーム４３を含む。把持部４１は、飼主が把持することができる。収容空間４２は、把持部４１の一側に内側に凹んで形成されている。収容空間４２は取付け口４２１を有し、取付け口４２１を介して押引部材３０のガイド杆３４が収容空間４２内に挿入され、押引部材３０が収容空間４２内において収容空間４２の延伸方向で往復運動する。プラットフォーム４３は、取付け口４２１を介して収容空間４２とは反対方向に突出し、プラットフォーム４３上には、２つの第１のガイド部２２にそれぞれ対応する２つの第２のガイド部４４が設けられる。
また、把持部４１上の押引部材３０の位置決め部材３４１に対応した位置には、切欠き部４１１が形成され、位置決め部材３４１の押圧ブロック３４３は、切欠き部４１１上で押引部材３０に伴って往復運動し、把持部４１上には、切欠き部４１１と離間して固定ブロック３４２を嵌着させる固定溝４１２が形成されている。また、本実施形態において、各第２のガイド部４４は溝部であり、各第１のガイド部２２は各第２のガイド部４４内に嵌設される。各第１のガイド部２２は、押引部材３０の往復運動に伴って各第２のガイド部４４内で変位する。各第２のガイド部４４は互いに対向配置されるとともに、各第２のガイド部４４は、把持部材４０の延伸方向との間に夾角θが形成される。夾角は、９０度より小さいか９０度より大きい。本実施形態では、夾角が９０度より小さいものを主な実施形態とし、２つの第２のガイド部４４が八の字状に配置されている。
【００２０】
図５〜図７を併せて参照する。図５〜図７に示すように、本実施形態の袋体取付け部材２０が閉状態にあるとき（図１を参照する）、押引部材３０の把持部材４０が閉位置にあり、押引部材３０上の係合部材３３が係合部３３２を利用して袋体取付け部材２０の外部に係合されると、袋体取付け部材２０により袋体の開口部が挟持されて閉止状態となる。袋体の開口部を開く場合、まず、係合部材３３上の押圧部３３１を押圧すると、係合部材３３が袋体取付け部材２０から離脱されて押圧部３３１が押圧ブロック３４３に押し当てられ、押圧ブロック３４３によりガイド杆３４上で位置決め部材３４１が弾性変形し、押引部材３０を把持部４１へ向かって押動する。すると、ガイド杆３４が収容空間４２内で移動するとともに、袋体取付け部材２０を移動させ、第１のガイド部２２は、押引部材３０の運動に伴って第２のガイド部４４内で変位し、各第２のガイド部４４と把持部材４０の延伸方向との間に夾角θが形成される（図４を参照する）。そのため、袋体取付け部材２０が移動する際、各第１のガイド部２２が第２のガイド部４４内で変位し、第１の杆体２３及び第２の杆体２４は、枢着部２１を介して旋回し（図２を参照する）、袋体取付け部材２０が閉状態から開状態へ変化し、袋体の開口部が閉状態から開状態へ変化する。
押引部材３０が、把持部４１へ向かう方向で所定距離で押動されると、押引部材３０上の固定ブロック３４２が切欠き部４１１から固定溝４１２中に進入して固定溝４１２内に嵌設され、押圧ブロック３４３が切欠き部４１１の後端に至るまで押動されると、押引部材３０が開位置に位置し、袋体取付け部材２０が開状態となり（図２を参照する）、袋体の開口部が開く。
【００２１】
また、把持部材４０上には、吊下げ部材４５及びフックリング４６が配設される。吊下げ部材４５は、把持部４１の下方に配設され、袋体を吊下げるために用いる。フックリング４６は、把持部４１の末端に配設され、ペットの鎖などを掛合するために用いる。
【００２２】
最後に図８を参照する。図８に示すように、本実施形態のペット用糞便収集装置１０は、飼主が片手で把持し、袋体５０の袋口を片手で開いたり閉じたりすることができ、ペットが糞便を排泄する際、袋体５０により糞便を収集することができる。糞便を収集する際、まず、袋体５０をペット用糞便収集装置１０上に取り付けて片手で把持し、袋体５０の袋口を開いた状態にしてペットの排泄口に袋体５０を設置すると、排泄された糞便が袋体５０内に直接落下し、糞便を収集することができる。
【００２３】
上述したことから分かるように、本発明のペット用糞便収集装置１０は、従来技術と比べ、片手だけの操作で袋体５０の袋口を開いたり閉じたりし、片手で把持して糞便が袋体５０内に直接収集され、糞便が地面に落下することを防ぎ、袋口を閉止することができる。このため糞便が袋体から地面に落下することを防ぐとともに、糞便から生じる悪臭が空気中に漂い、ハエや蚊などの虫類を招き寄せて環境衛生が汚染されることを防ぐこともできる。
【００２４】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２５】
１０    ペット用糞便収集装置
２０    袋体取付け部材
２１    枢着部
２２    第１のガイド部
２３    第１の杆体
２４    第２の杆体
２５    第３の杆体
２６    第４の杆体
２７    接着部
３０    押引部材
３１    枢着部材
３２    ストッパ
３３    係合部材
３４    ガイド杆
３５    第１の枢着杆
３６    第２の枢着杆
４０    把持部材
４１    把持部
４２    収容空間
４３    プラットフォーム
４４    第２のガイド部
４５    吊下げ部材
４６    フックリング
５０    袋体
３３１  押圧部
３３２  係合部
３４１  位置決め部材
３４２  固定ブロック
３４３  押圧ブロック
４１１  切欠き部
４１２  固定溝
４２１  取付け口
θ      夾角
【図１】
2019076051.tif 000003
【図２】
2019076051.tif 000004
【図３】
2019076051.tif 000005
【図４】
2019076051.tif 000006
【図５】
2019076051.tif 000007
【図６】
2019076051.tif 000008
【図７】
2019076051.tif 000009
【図８】
2019076051.tif 000010